(57)【要約】【課題】テレビジョン受像機等の表示機器において、工場出荷時の初期調整状態からの経時変化に起因する輝度低下や色調変化などを補正して画質を調整できるようにする。【解決手段】表示機器１０は、バックライト（光源）１８の積算点灯時間に対応する画質調整値を記憶したメモリ１６、光源１８の点灯開始からの点灯時間を積算するカウンタ１７、液晶パネル１４近傍における使用温度を測定する温度センサ１９、光源１８のデューティ比を取得する制御部１５、メモリ１６の画質調整値により色温度／輝度を調整する色温度／輝度調整回路１２を備える。制御部１５は、前記使用温度及び前記デューティ比に基づいてカウンタ１７による積算点灯時間を換算し、色温度／輝度調整回路１２は、制御部１５で換算された積算点灯時間に応じた画質調整値に基づいて表示機器１０における輝度及び色温度を調整する。【選択図】図１
2007156157.tif 000002
【特許請求の範囲】
【請求項１】
入力映像信号を表示する表示パネルと、該表示パネルを照明する光源とを備えた表示機器の画質を調整する画質調整装置において、前記光源の積算点灯時間に対応する画質調整値を予め記憶した記憶手段と、前記光源の点灯開始からの点灯時間を積算する積算手段と、該積算手段による積算点灯時間に応じた画質調整値に基づいて前記表示機器の画質を調整する調整手段とを備えていることを特徴とする画質調整装置。
【請求項２】
請求項１に記載の画質調整装置において、前記表示パネル近傍における使用温度を測定する使用温度測定手段と、該測定した使用温度に基づいて前記積算点灯時間を換算する換算手段とを備え、前記調整手段は、前記換算手段によって換算された積算点灯時間に応じた画質調整値に基づいて前記表示機器の画質を調整することを特徴とする画質調整装置。
【請求項３】
請求項１に記載の画質調整装置において、前記光源のデューティ比を取得するデューティ比取得手段と、該取得したデューティ比に基づいて前記積算点灯時間を換算する換算手段とを備え、前記調整手段は、前記換算手段によって換算された積算点灯時間に応じた画質調整値に基づいて前記表示機器の画質を調整することを特徴とする画質調整装置。
【請求項４】
請求項１に記載の画質調整装置において、前記表示パネルの近傍における使用温度を測定する使用温度測定手段と、前記光源のデューティ比を取得するデューティ比取得手段と、前記使用温度及び前記デューティ比に基づいて前記積算点灯時間を換算する換算手段とを備え、前記調整手段は、前記換算手段によって換算された積算点灯時間に応じた画質調整値に基づいて前記表示機器の画質を調整することを特徴とする画質調整装置。
【請求項５】
請求項２乃至４のいずれか１に記載の画質調整装置において、前記換算手段によって換算された積算点灯時間をオンスクリーン表示する手段を備えていることを特徴とする画質調整装置。
【請求項６】
請求項２乃至４のいずれか１に記載の画質調整装置において、前記換算手段によって換算された積算点灯時間が所定値を超えた場合、前記表示機器の該当部品の交換を促すための報知手段を備えていることを特徴とする画質調整装置。
【請求項７】
請求項１乃至６のいずれか１に記載の画質調整装置において、前記画質調整値は、前記表示機器の輝度調整値及び／又は色温度調整値であって、前記調整手段は、前記光源の積算点灯時間に応じた輝度調整値及び／又は色温度調整値に基づいて前記表示機器の輝度及び／又は色温度を調整することを特徴とする画質調整装置。
【請求項８】
請求項１乃至７のいずれか１に記載の画質調整装置において、前記光源は、冷陰極管、発光ダイオード、冷陰極管及び発光ダイオードの組み合わせのいずれかであることを特徴とする画質調整装置。
【請求項９】
請求項１乃至８のいずれか１に記載の画質調整装置を備えた表示機器。
【請求項１０】
入力映像信号を表示する表示パネルと、該表示パネルを照明する光源とを備えた表示機器の画質を調整する画質調整方法において、前記光源の積算点灯時間に対応する画質調整値を予め記憶して有し、前記光源の点灯開始からの点灯時間を積算するステップと、該積算点灯時間に応じた画質調整値に基づいて前記表示機器の画質を調整するステップとを有することを特徴とする画質調整方法。
【請求項１１】
請求項１０に記載の画質調整方法において、前記表示パネル近傍における使用温度を測定するステップと、該測定した使用温度に基づいて前記積算点灯時間を換算するステップと、該換算された積算点灯時間に応じた画質調整値に基づいて前記表示機器の画質を調整するステップとを有することを特徴とする画質調整方法。
【請求項１２】
請求項１０に記載の画質調整方法において、前記光源のデューティ比を取得するステップと、該取得したデューティ比に基づいて前記積算点灯時間を換算するステップと、該換算された積算点灯時間に応じた画質調整値に基づいて前記表示機器の画質を調整するステップとを有することを特徴とする画質調整方法。
【請求項１３】
請求項１０に記載の画質調整方法において、前記表示パネルの近傍における使用温度を測定するステップと、前記光源のデューティ比を取得するステップと、前記使用温度及び前記デューティ比に基づいて前記積算点灯時間を換算するステップと、該換算された積算点灯時間に応じた画質調整値に基づいて前記表示機器の画質を調整するステップとを有することを特徴とする画質調整方法。
【請求項１４】
請求項１０乃至１３のいずれか１に記載の画質調整方法において、前記画質調整値は、前記表示機器の輝度調整値及び／又は色温度調整値であって、前記表示機器の画質を調整するステップは、前記光源の積算点灯時間に応じた輝度調整値及び／又は色温度調整値に基づいて前記表示機器の輝度及び／又は色温度を調整することを特徴とする画質調整方法。
【発明の詳細な説明】
【技術分野】
【０００１】
本発明は、画質調整装置、表示機器、及び画質調整方法、より詳細には、テレビジョン受像機等の表示機器において、工場出荷時の初期調整状態からの経時変化に起因する輝度低下や色調変化などを補正して画質を調整する画質調整装置、表示機器、及び画質調整方法に関する。
【背景技術】
【０００２】
テレビジョン受像機などで使用される表示機器は、従来から使用されているブラウン管（ＣＲＴ）に代わって液晶パネル（ＬＣＤ）が主流になってきた。この液晶パネルは、ブラウン管に比べて機器の奥行きを小さくできるなどの画像表示用として優れた利点を有している。液晶パネルの場合、コンバージェンスやフォーカス調整などは不要であるが電気−光変換特性がブラウン管と異なるため、経時変化に伴う電気的な信号の補正が必要となってくる。
【０００３】
従来、液晶パネルを用いた表示機器の劣化補償に関し、例えば、特許文献１、特許文献２、及び特許文献３には、有効表示部分以外の任意の場所に光センサ（内部センサ）を設けて、経時変化を検出し、電気的な補正を行うための技術が開示されている。これにより、工場出荷時に品質のばらつきを抑え、また、工場出荷時の初期調整状態を経時変化によらず維持できるようにしている。
【０００４】
図６は、従来（特許文献１）の電子機器自動調整システムの実施形態を示す図で、図中、１０１は入力端子、１０２は基準信号挿入手段、１０３は信号処理回路、１０４は液晶パネル、１０５は内部センサ、１０６は内部制御手段、１０７は外部センサ、１０８は外部制御手段を示す。入力端子１０１から入力された映像信号は、基準信号挿入手段１０２によって評価用基準信号が挿入され、信号処理回路１０３に入力される。信号処理回路１０３は、内部制御手段１０６からの制御信号に応じて入出力の変換特性を変化させる調整手段を備え、入力映像信号を液晶パネル駆動に適した信号に変換する。信号処理回路１０３から出力された信号は、液晶パネル１０４に供給され、液晶パネル１０４を駆動する。
【０００５】
液晶パネル１０４は、内部センサ１０５、内部制御手段１０６による内部調整ループと、外部センサ１０７、外部制御手段１０８、内部制御手段１０６による外部調整ループが関連付けられている。すなわち、液晶パネル１０４は、内部センサ１０５を設け、この内部センサ１０５は、基準信号挿入手段１０２から挿入された評価用基準信号による液晶パネル１０４からの光出力を電気信号（検出結果）に変換し、内部制御手段１０６に供給する。また、外部センサ１０７は、評価用基準信号による液晶パネル１０４からの光出力を電気信号（検出結果）に変換し、外部制御手段１０８に供給する。
【０００６】
外部センサ１０７を含む外部調整ループは、外部センサ１０７からの出力データを基準データと比較演算し、その誤差が大きいときに信号処理回路１０３内の各種調整手段を制御し、入力端子１０１と液晶パネル１０４との間で所望の入出力関係を成立させる。また、内部センサ１０５を含む内部調整ループは、内部センサ１０５からの出力データを基準データと比較演算し、その誤差が大きいときに信号処理回路１０３内の各種調整手段を制御し、入力端子１０１と液晶パネル１０４との間で所望の入出力関係を成立させる。
【０００７】
また、特許文献４には、光源としてランプを使用する液晶プロジェクタにおいて、ランプの経時変化に伴う色温度の変化を補正するための技術が開示されている。これは、内蔵タイマで計測したランプの点灯時間をメモリに記憶し、ランプの使用開始からの全点灯時間に応じた色温度調整値をメモリから読み出して色温度調整回路へ出力し、その色温度調整値に応じて液晶プロジェクタの色温度を調整するようにしたものである。
【０００８】
図７は、ランプ（冷陰極管）の連続点灯中における輝度及び色度変化を示す図である。図７（Ａ）は連続点灯時間（ｈｒ：時間）と輝度維持率（％）との関係を示す図で、図７（Ｂ）は連続点灯時間（ｈｒ：時間）と色度シフト量との関係を示す図である。このように、冷陰極管を点灯させると、紫外線等の影響により、ガラスや蛍光体が徐々に劣化し、点灯時間の経過と共に、輝度維持率が低下し、色度シフト量が大きくなる傾向がある。
【特許文献１】特開平５−８０１０１号公報
【特許文献２】特開平５−８３６６０号公報
【特許文献３】特開平５−８３６５９号公報
【特許文献４】特開平６−１４８６２４号公報
【発明の開示】
【発明が解決しようとする課題】
【０００９】
しかしながら、上記特許文献１乃至３に記載の発明は、内部センサを必要とするため、装置構成が複雑となり、さらに、液晶パネルの限られたスペース内に内部センサを設けるために、有効表示部分以外のスペースを確保しなければならないという問題がある。また、液晶サイズが特殊になるため、コストがかかるという問題もある。
【００１０】
また、上記特許文献４に記載の発明は、液晶プロジェクタの光源（ランプ）の経時変化に伴う色温度の補正に限定して提案されているが、液晶テレビの場合においても同様に、ランプの輝度や色温度を適正な状態に調整して工場出荷したとしても、ランプの寿命範囲内で使用しているうちに、液晶テレビにおける輝度や色温度が経時変化して適正範囲から外れてしまう問題があった。また、上記の輝度や色温度の変化以外にも、例えば、紫外線によるＰＥＴフィルムの劣化による黄変や、液晶モジュールの劣化による場合なども考えられ、液晶テレビにおいては総合的な補正が必要となる。
【００１１】
また、液晶テレビの場合、バックライトを常に１００％のデューティ（Ｄｕｔｙ）比で発光させているわけではなく、デューティ比を使用環境に応じて約２０〜１００％の範囲で変化させている。このため、デューティ比によって経時変化の進み方が異なる。また、液晶テレビの使用温度（環境温度）によっても経時変化の進み方が異なることが知られている。従って、これらのパラメータを加味した補正を行うことが望ましい。
【００１２】
本発明は、上述のごとき実情に鑑みてなされたものであり、テレビジョン受像機等の表示機器において、工場出荷時の初期調整状態からの経時変化に起因する輝度低下や色調変化などを補正して画質を調整する画質調整装置、表示機器、及び画質調整方法を提供すること、を目的とする。
【課題を解決するための手段】
【００１３】
上記課題を解決するために、本発明の第１の技術手段は、入力映像信号を表示する表示パネルと、該表示パネルを照明する光源とを備えた表示機器の画質を調整する画質調整装置において、前記光源の積算点灯時間に対応する画質調整値を予め記憶した記憶手段と、前記光源の点灯開始からの点灯時間を積算する積算手段と、該積算手段による積算点灯時間に応じた画質調整値に基づいて前記表示機器の画質を調整する調整手段とを備えていることを特徴としたものである。
【００１４】
第２の技術手段は、第１の技術手段において、前記表示パネル近傍における使用温度を測定する使用温度測定手段と、該測定した使用温度に基づいて前記積算点灯時間を換算する換算手段とを備え、前記調整手段は、前記換算手段によって換算された積算点灯時間に応じた画質調整値に基づいて前記表示機器の画質を調整することを特徴としたものである。
【００１５】
第３の技術手段は、第１の技術手段において、前記光源のデューティ比を取得するデューティ比取得手段と、該取得したデューティ比に基づいて前記積算点灯時間を換算する換算手段とを備え、前記調整手段は、前記換算手段によって換算された積算点灯時間に応じた画質調整値に基づいて前記表示機器の画質を調整することを特徴としたものである。
【００１６】
第４の技術手段は、第１の技術手段において、前記表示パネルの近傍における使用温度を測定する使用温度測定手段と、前記光源のデューティ比を取得するデューティ比取得手段と、前記使用温度及び前記デューティ比に基づいて前記積算点灯時間を換算する換算手段とを備え、前記調整手段は、前記換算手段によって換算された積算点灯時間に応じた画質調整値に基づいて前記表示機器の画質を調整することを特徴としたものである。
【００１７】
第５の技術手段は、第２乃至第４のいずれか１の技術手段において、前記換算手段によって換算された積算点灯時間をオンスクリーン表示する手段を備えていることを特徴としたものである。
【００１８】
第６の技術手段は、第２乃至第４のいずれか１の技術手段において、前記換算手段によって換算された積算点灯時間が所定値を超えた場合、前記表示機器の該当部品の交換を促すための報知手段を備えていることを特徴としたものである。
【００１９】
第７の技術手段は、第１乃至第６のいずれか１の技術手段において、前記画質調整値は、前記表示機器の輝度調整値及び／又は色温度調整値であって、前記調整手段は、前記光源の積算点灯時間に応じた輝度調整値及び／又は色温度調整値に基づいて前記表示機器の輝度及び／又は色温度を調整することを特徴としたものである。
【００２０】
第８の技術手段は、第１乃至第７のいずれか１の技術手段において、前記光源は、冷陰極管、発光ダイオード、冷陰極管及び発光ダイオードの組み合わせのいずれかであることを特徴としたものである。
【００２１】
第９の技術手段は、第１乃至第８のいずれか１の技術手段における画質調整装置を備えた表示機器であることを特徴としたものである。
【００２２】
第１０の技術手段は、入力映像信号を表示する表示パネルと、該表示パネルを照明する光源とを備えた表示機器の画質を調整する画質調整方法において、前記光源の積算点灯時間に対応する画質調整値を予め記憶して有し、前記光源の点灯開始からの点灯時間を積算するステップと、該積算点灯時間に応じた画質調整値に基づいて前記表示機器の画質を調整するステップとを有することを特徴としたものである。
【００２３】
第１１の技術手段は、第１０の技術手段において、前記表示パネル近傍における使用温度を測定するステップと、該測定した使用温度に基づいて前記積算点灯時間を換算するステップと、該換算された積算点灯時間に応じた画質調整値に基づいて前記表示機器の画質を調整するステップとを有することを特徴としたものである。
【００２４】
第１２の技術手段は、第１０の技術手段において、前記光源のデューティ比を取得するステップと、該取得したデューティ比に基づいて前記積算点灯時間を換算するステップと、該換算された積算点灯時間に応じた画質調整値に基づいて前記表示機器の画質を調整するステップとを有することを特徴としたものである。
【００２５】
第１３の技術手段は、第１０の技術手段において、前記表示パネルの近傍における使用温度を測定するステップと、前記光源のデューティ比を取得するステップと、前記使用温度及び前記デューティ比に基づいて前記積算点灯時間を換算するステップと、該換算された積算点灯時間に応じた画質調整値に基づいて前記表示機器の画質を調整するステップとを有することを特徴としたものである。
【００２６】
第１４の技術手段は、第１０乃至第１３のいずれか１の技術手段において、前記画質調整値は、前記表示機器の輝度調整値及び／又は色温度調整値であって、前記表示機器の画質を調整するステップは、前記光源の積算点灯時間に応じた輝度調整値及び／又は色温度調整値に基づいて前記表示機器の輝度及び／又は色温度を調整することを特徴としたものである。
【発明の効果】
【００２７】
本発明によれば、テレビジョン受像機等の表示機器において、工場出荷時の初期調整状態からの経時変化に起因する輝度低下や色調変化などを補正して画質を調整することができるため、購入当初の映像に近い状態で長期間の視聴が可能となる。また、特別な内部センサなどを設ける必要がないため、簡易な構成で且つ安価に実現することができる。
【発明を実施するための最良の形態】
【００２８】
本発明に係る画質調整装置は、テレビジョン受像機などの表示機器に内蔵され、光源点灯時間の経過による輝度低下や色調変化などを、光源の積算点灯時間に応じた輝度調整値及び／又は色温度調整値に基づいて補正し、表示機器における輝度や色温度を常に適正な範囲に保持可能とし、さらに、表示パネル近傍の使用温度や、光源のデューティ比をパラメータとして加味することで、より正確な劣化状況（積算点灯時間）を算出して、精度の高い補正を行えるようにしたものである。
【００２９】
図１は、本発明の一実施形態に係る画質調整装置を備えた表示機器の一例を示すブロック図で、図中、１０は表示機器で、該表示機器１０は、入力映像信号に評価用の基準信号を付加する基準信号発生部１１と、入力映像信号の色温度及び／又は輝度を調整する色温度／輝度調整回路１２と、入力映像信号にオンスクリーン信号を重畳するオンスクリーンディスプレイ（ＯＳＤ）部１３と、入力映像信号を表示する表示パネルである液晶パネル１４と、各部を制御するＣＰＵを備えた制御部１５と、制御プログラムやデータ等を記憶するＥＥＰＲＯＭなどの記憶手段であるメモリ１６と、光源の点灯開始からの点灯時間を積算する積算手段であるカウンタ１７と、冷陰極管や発光ダイオード（ＬＥＤ）などの光源であるバックライト１８と、液晶パネル１４近傍の使用温度を測定する使用温度測定手段である温度センサ１９とを備えて構成されている。
【００３０】
制御部１５は、バックライト１８のデューティ比を取得するデューティ比取得手段と、温度センサ１９により測定された使用温度及び／又はバックライト１８のデューティ比に基づいて、カウンタ１７で積算された積算点灯時間を換算する換算手段を構成する。ここで、使用温度環境やバックライト１８のデューティ比は、表示機器１０における特性変化の速さに影響するため、バックライト１８の積算点灯時間に加えて、これら使用温度環境、バックライト１８のデューティ比をパラメータとして加味できるようにして、より精度の高い劣化状況（積算点灯時間）を演算できるようにしている。
【００３１】
以下、図１に示す各部についてより具体的に説明する。基準信号発生部１１は、入力された映像信号に基準信号を付加し、この入力映像信号を色温度／輝度調整回路１２に出力する。色温度／輝度調整回路１２は、制御部１５からの制御信号に従って、基準信号発生部１１からの入力映像信号の色温度及び／又は輝度を調整し、液晶パネル１４の駆動に適した信号に変換する。色温度／輝度調整回路１２から出力された信号は、ＯＳＤ部１３を介して液晶パネル１４に供給され、液晶パネル１４を適切な色温度及び輝度で駆動させる。
【００３２】
カウンタ１７は、バックライト１８の点灯開始（すなわち、工場出荷後最初に点灯した時点）からの総点灯時間を積算し、その積算結果をメモリ１６に記憶させる。また、バックライト１８の光源は、冷陰極管、ＬＥＤ、冷陰極管及びＬＥＤの組み合わせ（ハイブリッド）のいずれかとし、その配置は任意とする。
【００３３】
メモリ１６は、カウンタ１７で積算されたバックライト１８の積算点灯時間を記憶すると共に、バックライト１８の積算点灯時間に対応する画質調整値を予め記憶している。この画質調整値は、表示機器１０における輝度調整値及び／又は色温度調整値であって、例えば、前述の図７に示したように、長期エージングや加速試験などの所定の条件下で測定された輝度及び／又は色度の経時変化データから求めることができる。色温度／輝度調整回路１２は、制御部１５からの制御信号に従って、カウンタ１７による積算点灯時間に応じた画質調整値に基づいて表示機器１０の画質を調整する。
【００３４】
表示機器１０の画質を調整する具体的な方法としては、輝度の場合、バックライト１８のデューティ比を変更する、電流を変化させるなどの方法が考えられる。また、色温度の場合、バックライト１８の色温度を変更してＲＧＢのバランスや強度を調整するなどの方法がある。これらの画質を調整する画質パラメータは、上述した輝度調整値及び／又は色温度調整値と関連付けられており、色温度／輝度調整回路１２によって適宜変更される。
【００３５】
（第１の実施形態）
本実施形態の表示機器１０は、バックライト１８の点灯時間の経過による輝度低下や色調変化を、積算点灯時間に応じた輝度調整値及び／又は色温度調整値に基づいて補正し、表示機器１０における輝度や色温度を常に適正な範囲に保持可能としたものである。
【００３６】
図２は、本発明の第１の実施形態に係る画質調整方法の一例を説明するためのフロー図である。なお、本例では、図１に示した表示機器１０に基づいて説明するものとする。まず、表示機器１０は、電源が投入されると、カウンタ１７が初期化され（ステップＳ１）、制御部１５は、バックライト１８が交換されたかどうかを判断する（ステップＳ２）。バックライト１８が交換されたと判断された場合（ＹＥＳの場合）、バックライト１８の積算点灯時間（使用開始からの総点灯時間）を初期化、すなわち０時間としてメモリ１６に記憶する（ステップＳ３）。また、ステップＳ２において、バックライト１８が交換されていないと判断された場合（ＮＯの場合）、メモリ１６に記憶されているバックライト１８の積算点灯時間を読み出す（ステップＳ４）。
【００３７】
次に、制御部１５は、バックライト１８の積算点灯時間に応じた画質調整値をメモリ１６から読み出して、読み出した画質調整値に基づいて画質パラメータを変更するように色温度／輝度調整回路１２に指示し、色温度／輝度調整回路１２は、制御部１５からの指示に従って、画質パラメータ（バックライト１８のデューティ比など）を変更し、画質パラメータを変更した映像信号を液晶パネル１４へ出力する（ステップＳ５）。液晶パネル１４は、適切な範囲で輝度及び色温度が調整された映像信号を表示する。
【００３８】
次に、制御部１５は、入力される映像信号の切り換えが有ったかどうかを判断し（ステップＳ６）、映像信号の切り換えが有った場合（ＹＥＳの場合）、カウンタ１７でバックライト１８の点灯時間（電源投入から映像信号の切り換えまでの時間）を確認し、その点灯時間をメモリ１６の積算点灯時間に加算して積算点灯時間を更新し、ステップＳ５に戻り処理を繰り返す。また、ステップＳ６において、映像信号の切り換えがなかった場合（ＮＯの場合）、電源が切断されてないかどうかを判断し（ステップＳ７）、電源が切断されていない場合（ＮＯの場合）、ステップＳ６に戻り処理を繰り返す。また、ステップＳ７において、電源が切断されている場合（ＹＥＳの場合）、カウンタ１７でバックライト１８の点灯時間（電源投入から電源切断までの時間）を確認し（ステップＳ８）、その点灯時間をメモリ１６の積算点灯時間に加算して、その合計値をメモリ１６に記憶する（ステップＳ９）。
【００３９】
なお、本例では、電源投入直後と映像切り換え直後に、輝度及び色温度の補正を行っているが、電源投入直後のみ輝度及び色温度の補正を行うようにしてもよい。
【００４０】
（第２の実施形態）
表示機器１０における輝度低下や色調変化などの特性劣化は、使用温度環境に影響を受け、使用温度が高くなると速く進む傾向にあるため、より精度の高い補正を行うためには、使用温度環境に基づいてバックライト１８の積算点灯時間を換算する必要がある。
【００４１】
そこで、本実施形態の表示機器１０は、液晶パネル１４近傍における使用温度を測定する温度センサ１９を備え、温度センサ１９で測定した使用温度をパラメータとして加味することで、より正確な劣化状況（積算点灯時間）を算出して、精度の高い補正を行えるようにしたものである。
【００４２】
図１において、制御部１５は、温度センサ１９で測定した使用温度に基づいて、カウンタ１７で積算した積算点灯時間を換算する処理を行う。この換算を行うための換算式は予めメモリ１６等に記憶されているものとする。色温度／輝度調整回路１２は、制御部１５によって換算された積算点灯時間に応じた画質調整値に基づいて表示機器１０における輝度及び色温度を調整する。
【００４３】
図３は、本発明の第２の実施形態に係る画質調整方法の一例を説明するためのフロー図である。なお、本例では、図１に示した表示機器１０に基づいて説明するものとする。まず、表示機器１０は、電源が投入されると、カウンタ１７が初期化され（ステップＳ１１）、制御部１５は、バックライト１８が交換されたかどうかを判断する（ステップＳ１２）。バックライト１８が交換されたと判断された場合（ＹＥＳの場合）、バックライト１８の積算点灯時間（使用開始からの総点灯時間）を初期化、すなわち０時間としてメモリ１６に記憶する（ステップＳ１３）。また、ステップＳ１２において、バックライト１８が交換されていないと判断された場合（ＮＯの場合）、メモリ１６に記憶されているバックライト１８の積算点灯時間を読み出す（ステップＳ１４）。
【００４４】
次に、制御部１５は、温度センサ１９で測定した使用温度をメモリ１６から読み出して（ステップＳ１５）、ステップＳ１４で読み出した積算点灯時間とステップＳ１５で読み出した使用温度とに基づいて、カウンタ１７で積算した積算点灯時間を換算（ＣＰＵによる演算）し、換算後の積算点灯時間をメモリ１６に記憶する（ステップＳ１６）。
【００４５】
このとき、換算後の積算点灯時間、すなわち標準的な温度条件に置き換えた場合の積算点灯時間をＯＳＤ部１３によりオンスクリーン表示するようにしてもよい（ステップＳ１７）。また、換算後の積算点灯時間が所定値を超えた場合、表示機器１０の該当部品（例えば、バックライト１８など）の交換を促すようにしてもよい。このための報知手段としては、液晶パネル１４の画面上にメッセージを表示出力する、表示機器１０が備えるスピーカなどの音声出力手段（図示せず）から警告音や音声メッセージを出力する、あるいは、表示機器１０が備えるＬＥＤなどの発光インジケータ（図示せず）を点灯又は点滅させる、などの手段を用いることができる。
【００４６】
次に、制御部１５は、換算後のバックライト１８の積算点灯時間に応じた画質調整値をメモリ１６から読み出して、読み出した画質調整値に基づいて画質パラメータを変更するように色温度／輝度調整回路１２に指示し、色温度／輝度調整回路１２は、制御部１５からの指示に従って、画質パラメータ（バックライト１８のデューティ比など）を変更し、画質パラメータを変更した映像信号を液晶パネル１４へ出力する（ステップＳ１８）。液晶パネル１４は、適切な範囲で輝度及び色温度が調整された映像信号を表示する。
【００４７】
次に、制御部１５は、入力される映像信号の切り換えが有ったかどうかを判断し（ステップＳ１９）、映像信号の切り換えが有った場合（ＹＥＳの場合）、カウンタ１７でバックライト１８の点灯時間（電源投入から映像信号の切り換えまでの時間）を確認し、その点灯時間をメモリ１６の積算点灯時間に加算して積算点灯時間を更新し、ステップＳ１５に戻り処理を繰り返す。また、ステップＳ１９において、映像信号の切り換えがなかった場合（ＮＯの場合）、電源が切断されてないかどうかを判断し（ステップＳ２０）、電源が切断されていない場合（ＮＯの場合）、ステップＳ１９に戻り処理を繰り返す。また、ステップＳ２０において、電源が切断されている場合（ＹＥＳの場合）、カウンタ１７でバックライト１８の点灯時間（電源投入から電源切断までの時間）を確認し（ステップＳ２１）、その点灯時間をメモリ１６の積算点灯時間に加算して、その合計値をメモリ１６に記憶する（ステップＳ２２）。
【００４８】
なお、本例では、電源投入直後と映像切り換え直後に、輝度及び色温度の補正を行っているが、電源投入直後のみ輝度及び色温度の補正を行うようにしてもよい。
【００４９】
（第３の実施形態）
表示機器１０における輝度低下や色調変化などの特性劣化は、バックライト１８のデューティ比に影響を受け、デューティ比が高くなると速く進む傾向にあるため、より精度の高い補正を行うためには、デューティ比に基づいてバックライト１８の積算点灯時間を換算する必要がある。
【００５０】
そこで、本実施形態の表示機器１０は、バックライト１８のデューティ比を取得するデューティ比取得手段（制御部１５）を備え、制御部１５により取得したデューティ比をパラメータとして加味することで、より正確な劣化状況（積算点灯時間）を算出して、精度の高い補正を行えるようにしたものである。
【００５１】
図１において、制御部１５は、バックライト１８から取得したデューティ比に基づいて、カウンタ１７で積算した積算点灯時間を換算する処理を行う。この換算を行うための換算式は予めメモリ１６等に記憶されているものとする。色温度／輝度調整回路１２は、制御部１５によって換算された積算点灯時間に応じた画質調整値に基づいて表示機器１０における輝度及び色温度を調整する。
【００５２】
図４は、本発明の第３の実施形態に係る画質調整方法の一例を説明するためのフロー図である。なお、本例では、図１に示した表示機器１０に基づいて説明するものとする。まず、表示機器１０は、電源が投入されると、カウンタ１７が初期化され（ステップＳ３１）、制御部１５は、バックライト１８が交換されたかどうかを判断する（ステップＳ３２）。バックライト１８が交換されたと判断された場合（ＹＥＳの場合）、バックライト１８の積算点灯時間（使用開始からの総点灯時間）を初期化、すなわち０時間としてメモリ１６に記憶する（ステップＳ３３）。また、ステップＳ３２において、バックライト１８が交換されていないと判断された場合（ＮＯの場合）、メモリ１６に記憶されているバックライト１８の積算点灯時間を読み出す（ステップＳ３４）。
【００５３】
次に、制御部１５は、取得したバックライト１８のデューティ比をメモリ１６から読み出して（ステップＳ３５）、ステップＳ３４で読み出した積算点灯時間とステップＳ３５で読み出したデューティ比とに基づいて、カウンタ１７で積算した積算点灯時間を換算（ＣＰＵによる演算）し、換算後の積算点灯時間をメモリ１６に記憶する（ステップＳ３６）。このとき、換算後の積算点灯時間、すなわち標準的なデューティ比に置き換えた場合の積算点灯時間をＯＳＤ部１３によりオンスクリーン表示するようにしてもよい（ステップＳ３７）。
【００５４】
次に、制御部１５は、換算後のバックライト１８の積算点灯時間に応じた画質調整値をメモリ１６から読み出して、読み出した画質調整値に基づいて画質パラメータを変更するように色温度／輝度調整回路１２に指示し、色温度／輝度調整回路１２は、制御部１５からの指示に従って、画質パラメータ（バックライト１８のデューティ比など）を変更し、画質パラメータを変更した映像信号を液晶パネル１４へ出力する（ステップＳ３８）。液晶パネル１４は、適切な範囲で輝度及び色温度が調整された映像信号を表示する。
【００５５】
次に、制御部１５は、入力される映像信号の切り換えが有ったかどうかを判断し（ステップＳ３９）、映像信号の切り換えが有った場合（ＹＥＳの場合）、カウンタ１７でバックライト１８の点灯時間（電源投入から映像信号の切り換えまでの時間）を確認し、その点灯時間をメモリ１６の積算点灯時間に加算して積算点灯時間を更新し、ステップＳ３５に戻り処理を繰り返す。また、ステップＳ３９において、映像信号の切り換えがなかった場合（ＮＯの場合）、電源が切断されてないかどうかを判断し（ステップＳ４０）、電源が切断されていない場合（ＮＯの場合）、ステップＳ３９に戻り処理を繰り返す。また、ステップＳ４０において、電源が切断されている場合（ＹＥＳの場合）、カウンタ１７でバックライト１８の点灯時間（電源投入から電源切断までの時間）を確認し（ステップＳ４１）、その点灯時間をメモリ１６の積算点灯時間に加算して、その合計値をメモリ１６に記憶する（ステップＳ４２）。
【００５６】
なお、本例では、電源投入直後と映像切り換え直後に、輝度及び色温度の補正を行っているが、電源投入直後のみ輝度及び色温度の補正を行うようにしてもよい。
【００５７】
（第４の実施形態）
表示機器１０における輝度低下や色調変化などの特性劣化は、バックライト１８のデューティ比及び使用温度環境に影響を受け、デューティ比が高く、使用温度が高くなると速く進む傾向にあるため、より精度の高い補正を行うためには、デューティ比及び使用温度環境に基づいてバックライト１８の積算点灯時間を換算する必要がある。
【００５８】
そこで、本実施形態の表示機器１０は、液晶パネル１４近傍における使用温度を測定する温度センサ１９と、バックライト１８のデューティ比を取得するデューティ比取得手段（制御部１５）とを備え、これらの使用温度及びデューティ比をパラメータとして加味することで、より正確な劣化状況（積算点灯時間）を算出して、精度の高い補正を行えるようにしたものである。
【００５９】
図１において、制御部１５は、温度センサ１９で測定した使用温度及びバックライト１８から取得したデューティ比に基づいて、カウンタ１７で積算した積算点灯時間を換算する処理を行う。この換算を行うための換算式は予めメモリ１６等に記憶されているものとする。色温度／輝度調整回路１２は、制御部１５によって換算された積算点灯時間に応じた画質調整値に基づいて表示機器１０における輝度及び色温度を調整する。
【００６０】
図５は、本発明の第４の実施形態に係る画質調整方法の一例を説明するためのフロー図である。なお、本例では、図１に示した表示機器１０に基づいて説明するものとする。まず、表示機器１０は、電源が投入されると、カウンタ１７が初期化され（ステップＳ５１）、制御部１５は、バックライト１８が交換されたかどうかを判断する（ステップＳ５２）。バックライト１８が交換されたと判断された場合（ＹＥＳの場合）、バックライト１８の積算点灯時間（使用開始からの総点灯時間）を初期化、すなわち０時間としてメモリ１６に記憶する（ステップＳ５３）。また、ステップＳ５２において、バックライト１８が交換されていないと判断された場合（ＮＯの場合）、メモリ１６に記憶されているバックライト１８の積算点灯時間を読み出す（ステップＳ５４）。
【００６１】
次に、制御部１５は、バックライト１８のデューティ比と液晶パネル１４近傍の使用温度とをメモリ１６から読み出して（ステップＳ５５、ステップＳ５６）、ステップＳ５４で読み出した積算点灯時間と、ステップＳ５５及びステップＳ５６で読み出したデューティ比及び使用温度とに基づいて、カウンタ１７で積算した積算点灯時間を換算（ＣＰＵによる演算）し、換算後の積算点灯時間をメモリ１６に記憶する（ステップＳ５７）。このとき、換算後の積算点灯時間、すなわち標準的なデューティ比及び使用温度に置き換えた場合の積算点灯時間をＯＳＤ部１３によりオンスクリーン表示するようにしてもよい（ステップＳ５８）。なお、上記ステップＳ５５とステップＳ５６の順番は逆にしてもよい。
【００６２】
次に、制御部１５は、換算後のバックライト１８の積算点灯時間に応じた画質調整値をメモリ１６から読み出して、読み出した画質調整値に基づいて画質パラメータを変更するように色温度／輝度調整回路１２に指示し、色温度／輝度調整回路１２は、制御部１５からの指示に従って、画質パラメータ（バックライト１８のデューティ比など）を変更し、画質パラメータを変更した映像信号を液晶パネル１４へ出力する（ステップＳ５９）。液晶パネル１４は、適切な範囲で輝度及び色温度が調整された映像信号を表示する。
【００６３】
次に、制御部１５は、入力される映像信号の切り換えが有ったかどうかを判断し（ステップＳ６０）、映像信号の切り換えが有った場合（ＹＥＳの場合）、カウンタ１７でバックライト１８の点灯時間（電源投入から映像信号の切り換えまでの時間）を確認し、その点灯時間をメモリ１６の積算点灯時間に加算して積算点灯時間を更新し、ステップＳ５５に戻り処理を繰り返す。また、ステップＳ６０において、映像信号の切り換えがなかった場合（ＮＯの場合）、電源が切断されてないかどうかを判断し（ステップＳ６１）、電源が切断されていない場合（ＮＯの場合）、ステップＳ６０に戻り処理を繰り返す。また、ステップＳ６１において、電源が切断されている場合（ＹＥＳの場合）、カウンタ１７でバックライト１８の点灯時間（電源投入から電源切断までの時間）を確認し（ステップＳ６２）、その点灯時間をメモリ１６の積算点灯時間に加算して、その合計値をメモリ１６に記憶する（ステップＳ６３）。
【００６４】
なお、本例では、電源投入直後と映像切り換え直後に、輝度及び色温度の補正を行っているが、電源投入直後のみ輝度及び色温度の補正を行うようにしてもよい。
【００６５】
以上説明したように、本発明によれば、テレビジョン受像機等の表示機器において、工場出荷時の初期調整状態からの経時変化に起因する輝度低下や色調変化などを補正して画質を調整することができるため、購入当初の映像に近い状態で長期間の視聴が可能となる。また、特別な内部センサなどを設ける必要がないため、簡易な構成で且つ安価に実現することができる。
【図面の簡単な説明】
【００６６】
【図１】本発明の一実施形態に係る画質調整装置を備えた表示機器の一例を示すブロック図である。
【図２】本発明の第１の実施形態に係る画質調整方法の一例を説明するためのフロー図である。
【図３】本発明の第２の実施形態に係る画質調整方法の一例を説明するためのフロー図である。
【図４】本発明の第３の実施形態に係る画質調整方法の一例を説明するためのフロー図である。
【図５】本発明の第４の実施形態に係る画質調整方法の一例を説明するためのフロー図である。
【図６】従来（特許文献１）の電子機器自動調整システムの実施形態を示す図である。
【図７】ランプ（冷陰極管）の連続点灯中における輝度及び色度変化を示す図である。
【符号の説明】
【００６７】
１０…表示機器（画質調整装置）、１１…基準信号発生部、１２…色温度／輝度調整回路、１３…ＯＳＤ部、１４，１０４…液晶パネル、１５…制御部、１６…メモリ、１７…カウンタ、１８…バックライト、１９…温度センサ、１０１…入力端子、１０２…基準信号挿入手段、１０３…信号処理回路、１０５…内部センサ、１０６…内部制御手段、１０７…外部センサ、１０８…外部制御手段。
【図１】
2007156157.tif 000003
【図２】
2007156157.tif 000004
【図３】
2007156157.tif 000005
【図４】
2007156157.tif 000006
【図５】
2007156157.tif 000007
【図６】
2007156157.tif 000008
【図７】
2007156157.tif 000009